(57)【要約】【課題】  計時器用のクロノグラフ機構をコンパクトにし、エネルギーアキュムレーターが一定なトルクを伝えるようにし、あるいはトルクを調整することを可能にする。【解決手段】  本発明は、自身用のエネルギーアキュムレーター（１）と、自身用の調整システム（４）と、及びエネルギーアキュムレーター（１）を調整システム（４）に接続する歯車列とを有するクロノグラフ機構に関する。エネルギーアキュムレーター（１）は、細長材ばねで形成される。クロノグラフ機構は、さらに、細長材ばねによって伝えられるトルクを調整するように構成する歯車列を駆動する手段を有する。【選択図】  図１
2016156815.tif 000002
【特許請求の範囲】
【請求項１】
クロノグラフ機構であって、
このクロノグラフ機構は、当該クロノグラフ機構用のエネルギーアキュムレーター（１）と、当該クロノグラフ機構用の調整システム（４）と、及び前記エネルギーアキュムレーター（１）を前記調整システム（４）に接続する歯車列とを有し、
前記エネルギーアキュムレーター（１）は、細長材ばねで形成されている
ことを特徴とするクロノグラフ機構。
【請求項２】
前記細長材ばねによって伝えられるトルクを調整するように構成する前記歯車列を駆動する手段を有する
ことを特徴とする請求項１に記載のクロノグラフ機構。
【請求項３】
前記歯車列を駆動する手段は、ラック（２４）を有し、このラック（２４）の一端（２４ａ）は、前記細長材ばねと連係するように構成し、このラック（２４）の他端（２４ｂ）は、前記歯車列と連係するように構成し、
前記ラック（２４）は、一方の回転方向に回転するようにマウントされて、前記歯車列を駆動する
ことを特徴とする請求項２に記載のクロノグラフ機構。
【請求項４】
前記歯車列は、第１の歯付きセクター（７）を有する分カウンター（５）を有し、
前記ラック（２４）は、前記第１の歯付きセクター（７）と連係するように構成する歯を有し、
前記分カウンター（５）の前記第１の歯付きセクター（７）と、前記ラックの前記歯（２４）とは、同心ではない
ことを特徴とする請求項３に記載のクロノグラフ機構。
【請求項５】
前記ラック（２４）は、前記一方の回転方向とは反対方向に回転するようにマウントされ、これによって、前記分カウンター（５）をゼロにリセットし、同時に、前記細長材ばねを巻く
ことを特徴とする請求項４に記載のクロノグラフ機構。
【請求項６】
前記細長材ばねによって伝えられる前記トルクを調整するデバイスを有する
ことを特徴とする請求項１〜５のいずれかに記載のクロノグラフ機構。
【請求項７】
前記トルクを調整するデパイスは、調整可能なエキセントリック機構（２６）を有する
ことを特徴とする請求項６に記載のクロノグラフ機構。
【請求項８】
前記エネルギーアキュムレーター（１）を巻き、同時に、分をゼロにリセットするように構成する、前記エネルギーアキュムレーター（１）を巻き分をゼロにリセットする機構を有する
ことを特徴とする請求項１〜７のいずれかに記載のクロノグラフ機構。
【請求項９】
カウントが開始するときに前記調整システム（４）を解放するように構成する、カウントを開始する機構を有する
ことを特徴とする請求項１〜８のいずれかに記載のクロノグラフ機構。
【請求項１０】
請求項１〜９のいずれかに記載のクロノグラフ機構を有する
ことを特徴とする計時器。
【発明の詳細な説明】
【技術分野】
【０００１】
本発明は、機械的な測時技術の分野に関する。具体的には、本発明は、自身用のエネルギーアキュムレーターと、自身用の調整システムと、及び前記エネルギーアキュムレーターを前記調整システムに接続する歯車列とを有する自律的クロノグラフ機構に関する。本発明は、さらに、このようなクロノグラフ機構を有する計時器に関する。
【背景技術】
【０００２】
クロノグラフ機構を２つの種類に分類することができる。すなわち、
−  計時器の時方輪列に関連して実装されるクロノグラフ機構の種類と、
−  自身用の基礎的な時間ムーブメントを有する計時器にあり、自分の時方輪列を備えた独立したクロノグラフ機構の種類とである。
【０００３】
独立したクロノグラフ機構の種類については、エネルギーを蓄積することができ、それを可能な限り最も一定のトルクとして再分配することができる付加的なバレル又は別の弾性手段によってエネルギーを供給することができる。
【０００４】
しかし、付加的なバレルの使用には、時間とクロノグラフのために２重のムーブメントをデザイナーが設けることを必要としている。この２重のムーブメントは、一般に、２重のムーブメントを収容するための非常に大きな部品を必要としてしまう。これでは、魅力的ではない。
【発明の概要】
【発明が解決しようとする課題】
【０００５】
本発明は、独立又は自律的なクロノグラフ機構を有する既知の計時器の様々な課題を克服することを目的とする。
【０００６】
より詳細には、本発明は、よりコンパクトなクロノグラフ機構を提供することを目的とする。
【０００７】
より詳細には、本発明は、よりコンパクトなエネルギーアキュムレーターを有するクロノグラフ機構を提供することを目的とする。
【０００８】
本発明は、可能なかぎり一定なトルクを伝えることができるエネルギーアキュムレーターを有するクロノグラフ機構を提供することを別の目的とする。
【０００９】
本発明は、伝えられたトルクを調整することができるエネルギーアキュムレーターを有するクロノグラフ機構を提供することを別の目的とする。
【課題を解決するための手段】
【００１０】
このために、本発明は、自身用のエネルギーアキュムレーターと、自身用の調整システムと、及びエネルギーアキュムレーターを調整システムに接続する歯車列とを有する自律的クロノグラフ機構に関する。
【００１１】
本発明によると、エネルギーアキュムレーターは、細長材ばねで形成される。
【００１２】
したがって、エネルギーアキュムレーターは、伝統的に用いられているエネルギーアキュムレーターよりも小さなスペースしか占めない。このことによって、体積が小さい自律的クロノグラフ機構を有する計時器を設計することが可能になる。
【００１３】
好ましくは、クロノグラフ機構は、細長材ばねによって伝えられるトルクを調整するように構成する歯車列を駆動する手段を有することができる。
【００１４】
特に好ましい変種実施形態によると、前記歯車列駆動手段は、ラックを有し、このラックの一端は、細長材ばねと連係するように構成し、このラックの他端は、歯車列と連係するように構成し、前記ラックは、歯車列を駆動するように一方の回転方向に回転するようにマウントされる。
【００１５】
好ましいことに、前記歯車列は、第１の歯付きセクターを有する分カウンターを有することができ、前記ラックは、第１の歯付きセクターと連係するように構成する歯を有することができ、前記分カウンターの第１の歯付きセクター及びラックの歯は、同心ではない。
【００１６】
好ましいことに、同心ではない歯／歯付きセクターのシステムは、細長材ばねによって伝えられたトルクの一定ではない問題を修正することができる。
【００１７】
好ましくは、前記ラックを、反対の回転方向に回転するようにマウントして、これによって、分カウンターをゼロにリセットし、同時に、細長材ばねを巻く。
【００１８】
好ましいことに、当該クロノグラフ機構は、細長材ばねによって伝えられるトルクを調整するデバイスを有することができる。
【００１９】
好ましいことに、前記トルク調整デパイスは、調整可能なエキセントリック機構を有することができる。
【００２０】
好ましくは、クロノグラフ機構は、エネルギーアキュムレーターを巻き、同時に、分をゼロにリセットするように構成する、エネルギーアキュムレーターを巻き分をゼロにリセットする機構を有することができる。
【００２１】
好ましいことに、当該クロノグラフ機構は、カウントが開始したときに前記調整システムを解放するように構成するカウントを開始する機構を有することができる。
【００２２】
本発明は、さらに、上記のクロノグラフ機構を有する計時器に関する。
【００２３】
本発明の特定の実施形態についての以下の説明（例示的であってこれに限定されない）を添付の図面とともに読むことで、本発明の他の特徴及び利点を、より明確に理解できるであろう。
【図面の簡単な説明】
【００２４】
【図１】最初に始動する前の本発明に係るクロノグラフ機構の斜視図である。
【図２】本発明に係るクロノグラフ機構、細長材ばね巻き及びゼロリセット機構の下面図（裏蓋側）である。
【図３】安静位置の細長材ばね及びトルクを調整する手段の上面図（表盤側）である。
【図４】巻かれている位置の細長材ばね及びトルクを調整する手段の上面図（表盤側）である。
【図５】本発明に係るクロノグラフ機構及びそのカウントを開始する機構の下面図（裏蓋側）である。
【図６】本発明に係るクロノグラフ機構及びその止め機構の下面図（裏蓋側）である。
【図７】連結解除デパイスの断面図である。
【発明を実施するための形態】
【００２５】
図１を参照すると、クロノグラフ機構は、エネルギーアキュムレーター１と、時方輪列２と、エスケープシステム３と、及びバランス４ａとバランスばね４ｂを有する調整システム４とを有し、時方輪列２は、エネルギーアキュムレーター１をエスケープシステム３及び調整システム４に接続している。したがって、自身用のクロノグラフムーブメントを有するクロノグラフ機構は、自律的であり、ないし独立しており、このようなクロノグラフ機構を、自身用の計時ムーブメントを有する計時器において用いることができる。
【００２６】
本発明によると、エネルギーアキュムレーター１は、Ａにてフレームに固定される細長材ばねで形成されている。
【００２７】
時方輪列２は、分カウンター及び秒カウンターを有し、これによって、クロノグラフカウンター列をも形成している。時方輪列又はクロノグラフのカウンター列は、以下において、一般的に「歯車列」と呼ぶ。より詳細には、歯車列は、分カウンター５及び秒カウンター６を有する。下で詳細に説明するように、分カウンター５は、分車セットを有し、これは、エネルギーアキュムレーター１と連係するように構成する第１の歯付きセクター７と、及び歯車列と連係するように構成する第２の歯付きセクター８とを有する。第１及び第２の歯付きセクター７、８は、分カウンター５のアーバー１０に恒久的に固定マウントされる。これによって、これらは、回転時にアーバー１０と絶えず一体的にされている。特定のトルクを超えると歯付きセクター７、８の一方からアーバー１０を角度的に連結解除することができるような摩擦連結はない。アーバー１０は、表盤側で見えるように構成する針のような第１の分インジケータメンバー（図示せず）を一体的に支えている。指標のような第２の分インジケータメンバー１２が、裏蓋側で見えるように、第２の歯付きセクター８によって支えられている。秒カウンター６は、秒車セットを有し、これは、分カウンター５と連係するように構成する秒ピニオン１４と、及び調整システム４と連係するように構成する秒車１６とを有する。秒車セットのアーバー１８は、針のような秒インジケータメンバー（図示せず）を一体的に支えている。秒車セットとそのアーバー１８の間には摩擦連結があり、これによって、特定のトルクを超えるとこれらの２つのメンバーの独立した角運動が可能になる。
【００２８】
クロノグラフ機構は、さらに、ゼロリセット機構を有し、これは、分をゼロにリセットする機構及び秒をゼロにリセットする機構を有する。秒をゼロにリセットする機構は、秒車セットのアーバー１８と一体的な心臓形部品２０を備えたシステムと、及びリセット用押し部品２２（図２を参照）によって制御されるハンマー（図示せず）とを実装している伝統的なリセット機構である。
【００２９】
分をゼロにリセットする機構は、ラック２４を有し、これは、下で説明するように、一端２４ａがエネルギーアキュムレーター１と連係しており、他端２４ｂには分車セットの第１の歯付きセクター７と連係するように構成する歯が設けられているように構成している。ラック２４は、Ｂにてフレーム上で回転するようにマウントされ、クロノグラフ機構が稼働しているときに、分ゼロリセット及びエネルギーアキュムレーター巻きの機能を確実にするように一方の方向に回転し、歯車列、より詳細には、カウント時に分カウンター、を駆動する機能を確実にするように反対方向に回転するように構成する。したがって、ラック２４は、歯車列駆動手段と分ゼロリセット機構だけでなく、細長材ばね１を巻く機構を形成している。
【００３０】
歯車列駆動手段としての機能を確実にするように、細長材ばね１がそのエネルギーを解放して緩んで巻かれていない位置へ戻るときに、ラック２４の端２４ａは、細長材ばね１の自由端１ａによって発動され、ラック２４を回転するように構成する。
【００３１】
細長材ばねによって伝えられるトルクを調整するために、ラック２４の端２４ｂに設けられた歯と、分カウンター５の第１の歯付きセクター７どうしは、同心ではない。同心ではない歯車系を使用することによって、細長材ばねによって伝えられる非定値のトルクを修正し、結果的には、トルクを平滑化して、クロノグラフが一定の振幅と速さを達成することができる。
【００３２】
細長材ばねによって伝えられるトルクを調整するために、クロノグラフ機構は、トルク調整デパイスを有する。図３及び４を参照すると、このトルク調整デパイスは、エキセントリックカム２６を有し、これは、キーによって製造業者が調整することができる。カム２６は、自由端１ａの反対側で、点Ａを越えた細長材ばね１の端１ｂの近傍に配置されている。細長材ばね１の組み立て時に、図３に示すように端１ｂに接していないようにカム２６が配置される。伝えられるトルクを調整するために、カム２６は、細長材ばね１の端１ｂに接するように、図４に示す矢印ａの方向に回転する。これによって、端１Ｂを矢印ｂの方向に点Ａを中心として多かれ少なかれ回転させて、巻かれている位置にある細長材ばね１の張りを調整する。そして、このアセンブリーは、ねじによって固定される。
【００３３】
クロノグラフ機構は、カウントを開始する時に調整システムを解放するように構成しているカウントを開始する機構によって始動されるまでは、停止状態のままである。図５を参照すると、カウント開始機構は、第１のレバー２８を有し、これは、「開始」の押しボタン３０によって制御され、ジャンパーばね３１を備える。第１のレバー２８は、第２のレバー３２を制御する。これは、フレーム上のＣにて回転するようにマウントされており、バランス止めレバー３４を支えている。このバランス止めレバー３４の自由端３４ａは、くちばし部を有し、これは、バランス車と連係し、クロノグラフ機構が始動するまでバランス車をロックするように構成する。第２のレバー３２は、さらに、回転してクロノグラフの状態を示す指標３６を支えている。
【００３４】
図２を参照すると、分ゼロリセット及び細長材ばね巻き機構は、分ゼロリセット機能及びラック２４の細長材ばね１を巻く機能を同時に実行することができるようにするために、ゼロリセット押しボタン２２によって発動されるレバー４０を有する。レバー４０は、第１のレバー４２の端４２ａと連係するくちばし部４０ａを有し、第１のレバー４２の他端は、第２のレバー４４と連係している。この第２のレバー４４は、アーム４４ａを有し、これは、ラック２４の端２４ａを押し、Ｂにてラック２４を回転させるように構成している。回転時に、ラック２４の端２４ａが、細長材ばね１を押して、細長材ばねを動かし巻き、一方、ラック２４の他端２４ｂが、分カウンター５をリセットさせる方向に第１の歯付きセクター７を回転させる。したがって、細長材ばね１は、分カウンター５のリセット機能によって巻き戻される。他の特定の巻き動作は必要ではない。
【００３５】
クロノグラフ機構止め機能を確実にするために、バランス４ａとクロノグラフ機構インジケータメンバーを止めて読み取りやタイムアウトを可能にするように構成する止め機構が設けられる。このために、ゼロリセットボタン２２は、クロノグラフ機構止めボタンでもある。図６を参照すると、ボタン２２によって制御されるレバー４０は、レバー３２と一体的なピン４３を介してレバー３２とも連係している。このピン４３は、レバー４１に設けられた長穴４５内を動く。レバー４０の回転によって、レバー３２が回転して、これによって、バランス止めレバー３４をバランス４ａがロックされている位置に戻し、ゼロリセットせずにクロノグラフ機構を止める。
【００３６】
レバー４１は、鼻部４１ａを有し、これは、レバー４２と連係し、ゼロリセット機能が発動されていないときにレバー４２の端４２ａをレバー４０のくちばし部４０ａから離し続けるように構成している。レバー３２の回転によって、ピン４３が動き、レバー４１が回転する。この構成は、クロノグラフ止め機能の終わりにおいて、レバー４１が十分に回転して、レバー４２を解放し、レバー４２の端４２ａと、レバー４０のくちばし部４８とがロックされるように、レバー４２がレバー４０に当たる。
【００３７】
したがって、押しボタン２２に対する第１の押圧によって、クロノグラフ機構が止まり、同じ押しボタン２２に対する第２の押圧によって、カウンターがゼロにリセットされ、細長材ばねが巻き戻る。
【００３８】
分カウンター５がゼロにリセットされたときに秒車セットを隔離するために、歯車列は、分カウンター５と秒カウンター６の間に連結解除デパイスを有し、これは、クロノグラフ機構が稼働している時のカウント時に、分車セットと秒車セットを運動学的に接続し、分がゼロにリセットされたときに、秒車セットを分車セットから連結解除するように構成する。この連結解除デパイスは、単方向性機構を有し、これは、カウント時には、分カウンター５を介して秒カウンター６を駆動する駆動回転方向となり、クロノグラフ機構がゼロにリセットされたときには自由な回転方向となる。変種の実施形態（図示せず）によると、この単方向性機構は、ラチェット車であることができる。
【００３９】
図１、５及び７に詳細に示した別の実施形態によると、連結解除デパイスは、駆動車セットを有し、これは、分カウンター５の第２の歯付きセクター８と連係するドライブピニオン４６と、駆動車４８と、及び駆動車アーバー５２と同軸にアーバー５２を中心に回転するように運動可能にマウントされるように構成している惑星車ホルダー５０とを有する。惑星車ホルダー５０は、秒カウンター６の秒ピニオン１４と連係している。惑星車ホルダー５０は、自由回転するようにマウントされた５つの規則的に分布する惑星車５４を支えている。これらの惑星車５４は、駆動車セットの駆動車４８と連係するように構成している。
【００４０】
惑星車５４は、単方向性の歯を有し、また、非対称の歯形を有し、これによって、カウント時に一方の方向に回転するときに駆動車４８とロックしており、分がゼロにリセットされ細長材ばね１が巻かれて駆動車４８が反対方向に回転するときに、自由に回転するように構成している。
【００４１】
したがって、惑星車５４によって、カウント時に駆動車を介して惑星車ホルダー５０を駆動することができ、これによって、カウント時に分カウンター５を介して調整システム４までの範囲で歯車列を駆動し、分がゼロにリセットされ細長材ばね１が巻かれているときに、惑星車ホルダー５０を自由に回転させ、これによって、秒車セットを分車セットから連結解除する。これは、単方向性機構の別の変種を形成する。このような連結解除デパイスを、細長材ばね／ラックシステムとは独立して、任意の種類のエネルギーアキュムレーター及び駆動手段とともに使用することができる。具体的には、好ましいことに、このような連結解除デパイスを、フュージをムーブメントに巻き付けるために用いることができる。
【００４２】
本発明に係るクロノグラフ機構は、以下のように動作する。
【００４３】
クロノグラフの動作に必要なエネルギーは、クロノグラフがゼロにリセットされている時に、具体的には、分がゼロにリセットされている時に、ユーザーによって提供される。このような場合は、細長材ばね１が巻かれる時と同時に発生する。これを達成するために、ユーザーは、ゼロリセット及び巻きボタン２２を押す。図２に示すように、ボタン２２が矢印ａの方向に押されると、矢印ｂの方向にレバー４０が回転し、このことによって、第１のレバー４２が矢印ｃの方向に動く。これによって、第２のレバー４４及びそのアーム４４ａが矢印ｄの方向に傾く。傾くにつれて、アーム４４ａは、ラック２４の端２４ａを矢印ｅの方向に押す。これによって、ラック２４がＢにて回転する。Ｂにおけるラックの回転によって、まず、細長材ばね１がＡにて回転し、これによって、ラック２４の端２４ａが細長材ばね１の自由端１ａを押すことに起因して、細長材ばね１が巻かれ、また、歯２４ｂによって矢印ｆの方向に駆動されて、分カウンター５の第１の歯付きセクター７が回転する。第２の歯付きセクター８と分カウンターのアーバー１０が第１のセクター７と一体的であるので、これらは、同じ角度駆動され、分インジケータメンバー、特に、指標１２を、ゼロにリセットする。この回転中に、分カウンター５の第２の歯付きセクター８が駆動車４６、４８と噛み合うが、惑星車５４の非対称の歯に起因して、駆動車４８の回転は、惑星車５４に又は惑星車ホルダー５０に影響を与えない。これは、自由に回転する。したがって、秒車セット及び歯車列の残りは、分がゼロにリセットされているときに、この連結解除デパイスによって隔離される。
【００４４】
ゼロリセット及び巻きボタン２２が押されると、秒カウンターも既知の手法でゼロにリセットされる。
【００４５】
このゼロリセット及び巻きステップ時に、クロノグラフの動作に必要なエネルギーが細長材ばね１に格納される。この細長材ばね１は、屈曲してはたらく。
【００４６】
そして、ユーザーは、「開始」ボタン３０を押すことによってカウントを開始する。図５に示すように、このことによって、矢印ａの方向にレバー２８が傾き、これによって、矢印ｂの方向にレバー３２が傾き、バランス止めレバー３４の端３４ａがバランスから解放されて調整システム４を解放する。ここで、カウントを開始することができる。端１ａがラック２４の端２４ａを押す細長片ばね１によってエネルギーが解放される。この細長片ばね１は、分ゼロリセット及び巻き方向とは反対方向にＢにラック２４を回転させる。回転するにしたがって、歯２４ｂは、第１の歯付きセクター７を駆動し、したがって、分ゼロリセット及び巻き方向と反対方向に第２の歯付きセクター８を駆動する。分インジケータメンバーは、毎分１目盛の速さで回り始める。この構成において、分カウンター５の第２の歯付きセクター８が、駆動車４６、４８と噛み合うが、惑星車５４の非対称の歯のおかげで、駆動車４８の回転が惑星車ホルダー５０を回転させるように惑星車５４がロックされる。これによって、次に、秒カウンター６が、細長材ばね１によって伝えられるトルクを他の歯車列要素に伝達させる。秒インジケータメンバーは、秒を示すように回転し始める。
【００４７】
読み取り又はタイムアウトのための押しボタン２２に対する第１の押しによって、バランス及びインジケータメンバーを止めることができる。図６に示すように、ボタン２２に対する矢印ａの方向の第１の押しによって、レバー４２が矢印ｂの方向に回転する。このことは、レバー３２及び４１を矢印ｃの方向に動かし、バランス４ａの方にバランス止めレバー３４を戻して、バランス４ａをロックする。中間的な読み取り又はタイムアウトのためにインジケータメンバーは止められる。また、レバー４１は矢印ｄの方向にも回転し、レバー４２を解放する。このレバー４２はレバー４０に当たり、ゼロリセットのためのその位置を占める。「開始」ボタン３０に対する再度の押しによって、ゼロリセットなしで、上記のように、クロノグラフ機構を再開させる。ボタン２２に対する別の第１の押しによって、上記のようにクロノグラフ機構が止まる。このボタン２２に対する第２の押しによって、クロノグラフをゼロにリセットし、既に上に説明したように、細長片ばねを巻き戻す。
【００４８】
本発明に係るクロノグラフ機構は、適切に動作するために必要な十分に一定なトルクを有し、既知のクロノグラフ機構よりもコンパクトである。ゼロリセット機構、具体的には、分をゼロにリセットする機構も、エネルギーアキュムレーターを巻く機能を行い、これによって、特定の巻き機構の必要性がなくなる。
【符号の説明】
【００４９】
１  エネルギーアキュムレーター
２  調整システム
３  分カウンター
７  第１の歯付きセクター
２４  ラック
２６  調整可能なエキセントリック機構
２４ａ、２４ｂ  端
【図１】
2016156815.tif 000003
【図２】
2016156815.tif 000004
【図３】
2016156815.tif 000005
【図４】
2016156815.tif 000006
【図５】
2016156815.tif 000007
【図６】
2016156815.tif 000008
【図７】
2016156815.tif 000009